(57)【要約】      （修正有）【課題】構造の設計が合理的でテーブル板面積の調整範囲が大きく、テーブル板の一体性が高いテーブル板及びポータブル折り畳みテーブルを提供する。【解決手段】テーブル板は、第１方向に伸縮可能であって、複数枚のパネル１１と複数の連結片１２とを備えている。パネル１１の第２方向の両端にいずれもスライド溝１１１が設けられている。パネルはテーブル板の第１方向の一方から当該第１方向の他方へ１つずつ設けられている。連結片１２の両端が、隣接するパネル１１をそれぞれ連結している。連結片１２の一端が、隣接するパネル１１のうちの一方のパネル１１のスライド溝１１１に連結され、連結片１２の他端が、他方のパネル１１１の端部にヒンジ連結されている。隣接するパネル１１の間の隙間を覆うためのカバー板１３がパネル１１上に固定されている。【選択図】図５
2016129665.tif 000002
【特許請求の範囲】
【請求項１】
第１方向に伸縮可能なテーブル板であって、
前記テーブル板は、複数枚のパネルと、前記パネルのうちの隣接するパネルを連結するための複数の連結片とを備えており、
前記パネルの前記第１方向に交差する第２方向の両端にいずれもスライド溝が設けられており、前記パネルは前記テーブル板の前記第１方向の一方から前記第１方向の他方へ１つずつ設けられており、前記隣接するパネルが、一方のパネルと、他方のパネルとを含み、
前記連結片の両端が、前記隣接するパネルをそれぞれ連結しており、前記連結片の一端が、前記一方のパネルの前記スライド溝に摺動自在に連結され、前記連結片の他端が、前記他方のパネルの端にヒンジ連結されており、
前記隣接するパネルの間の隙間を覆うためのカバー板が前記パネルに設けられていることを特徴とするテーブル板。
【請求項２】
第１方向に伸縮可能なテーブル板であって、
前記テーブル板は、複数枚のパネルと、前記パネルのうちの隣接するパネルを連結するための複数の連結片とを備えており、
前記パネルの前記第１方向に交差する第２方向の両端にいずれもスライド溝が二つずつ設けられており、前記スライド溝が、第１方向の一方のスライド溝及び第１方向の他方のスライド溝を含み、前記パネルは前記テーブル板の前記第１方向の一方から前記第１方向の他方へ１つずつ設けられており、前記隣接するパネルが、一方のパネルと、他方のパネルとを含み、
前記連結片の両端が、前記隣接するパネルをそれぞれ連結しており、前記連結片の一端が、前記一方のパネルの前記他方のスライド溝に摺動自在に連結され、前記連結片の他端が、前記他方のパネルの前記一方のスライド溝に摺動自在に連結されており、
前記隣接するパネル間の隙間を覆うためのカバー板が前記パネルに設けられていることを特徴とするテーブル板。
【請求項３】
請求項１に記載のテーブル板において、
前記連結片の前記一端に、当該連結片から突き出た摺動ヘッドが設けられており、
前記摺動ヘッドは前記スライド溝内に摺設されており、
前記パネルと前記カバー板は一体式連結構造を採用しており、
前記パネルの前記両端は連通孔を介して連通しており、
前記連通孔の両端にスライド溝ベースが係着しており、
前記スライド溝が前記スライド溝ベースに開設されていることを特徴とするテーブル板。
【請求項４】
請求項２に記載のテーブル板において、
前記連結片の前記一端及び前記他端に、当該連結片から突き出た摺動ヘッドが各々設けられており、
前記連結片の前記一端の前記摺動ヘッドは前記一方のパネルの前記他方のスライド溝内に摺設されており、前記連結片の前記他端の前記摺動ヘッドは前記他方のパネルの前記一方のスライド溝内に摺設されており、
前記パネルと前記カバー板は一体式連結構造を採用しており、
前記パネルの前記両端は連通孔を介して連通しており、
前記連通孔の両端にスライド溝ベースが係着しており、前記スライド溝が前記スライド溝ベースに開設されることを特徴とするテーブル板。
【請求項５】
請求項１〜４の何れかに記載のテーブル板において、
前記パネルの上端は段差構造を有しており、
前記段差構造は、互いに平行であって、一方が高くもう一方が低い第１の平面及び第２の平面と、
前記第１の平面と前記第２の平面とを連結する連結面とから構成されており、
前記第１の平面は前記カバー板の上面と同一の平面上にあり、
前記第１の平面と前記第２の平面の間の高度差が前記カバー板の厚さと等しいことを特徴とするテーブル板。
【請求項６】
請求項１〜５の何れかに記載のテーブル板と、
前記テーブル板を設けるための支持脚フレームを更に備えており、
前記支持脚フレームは、第１の左伸縮脚と、
第１の右伸縮脚と、
第２の左伸縮脚と、
第２の右伸縮脚と、
第１の伸縮横棒と、
第２の伸縮横棒とを備えており、
前記第１の伸縮横棒は第１の左横棒と第１の右横棒とを備えており、
前記第２の伸縮横棒は第２の左横棒と第２の右横棒とを備えており、
前記第１の左伸縮脚と、前記第１の右伸縮脚と、前記第２の左伸縮脚と、前記第２の右伸縮脚とは、それぞれ前記第１の左横棒、前記第１の右横棒、前記第２の左横棒、及び前記第２の右横棒に取り付けられており、
前記第１の左横棒は前記第１の右横棒に摺動装着されており、
前記第２の左横棒は前記第２の右横棒に摺動装着されており、
前記パネルの前記両端が、それぞれ前記第１の伸縮横棒及び前記第２の伸縮横棒上に設けられていることを特徴とするポータブル折り畳みテーブル。
【請求項７】
請求項６に記載のポータブル折り畳みテーブルにおいて、
前記テーブル板の前記第１方向の前記両端の前記パネルは、留め具により前記第１の伸縮横棒の前記第１方向の両端及び前記第２の伸縮横棒の前記第１方向の両端に連結されていることを特徴とするポータブル折り畳みテーブル。
【請求項８】
請求項６に記載のポータブル折り畳みテーブルにおいて、
前記第１の左横棒及び前記第２の左横棒にいずれも凹溝が設けられており、
前記第１の右横棒は、前記第１の左横棒の前記凹溝内に摺動可能に連結されており、
前記第２の右横棒は、前記第２の左横棒の前記凹溝内に摺動可能に連結されており、
前記第１の右横棒と前記第１の右横棒とに圧縮ばね収容箱が設けられており、
前記圧縮ばね収容箱内に、留め具と、前記留め具を前記凹溝の内壁に押し付ける圧縮ばねとが設けられており、
前記圧縮ばねの両端が前記圧縮ばね収容箱の底部及び前記留め具に押し当てられており、
前記第１の左横棒の前記凹溝の前記内壁と前記第２の左横棒の前記凹溝の前記内壁とに、前記留め具を係入するための留め具孔が開設されており、
前記留め具上に、前記留め具孔に嵌め合わせるための斜面が設けられていることを特徴とするポータブル折り畳みテーブル。
【請求項９】
請求項６に記載のポータブル折り畳みテーブルにおいて、
前記第１の左伸縮脚と、前記第１の右伸縮脚と、前記第２の左伸縮脚と、前記第２の右伸縮脚とは、それぞれ前記第１の左横棒、前記第１の右横棒、前記第２の左横棒、及び前記第２の右横棒に回動装着されており、
前記支持脚フレームは、左連結フレーム及び右連結フレームを更に備えており、
前記左連結フレームは、第１の左連結棒と、第２の左連結棒と、第３の左連結棒と、第４の左連結棒と、第１の左ヒンジ連結ベースと、第２の左ヒンジ連結ベースと、第３の左ヒンジ連結ベースと、第４の左ヒンジ連結ベースとを備えており、
前記第１の左連結棒の一端は前記第１の左ヒンジ連結ベースにヒンジ連結されており、
前記第１の左ヒンジ連結ベースは前記第１の左横棒の端部にヒンジ連結されており、
前記第１の左連結棒の中間部は前記第４の左連結棒の中間部にヒンジ連結されており、
前記第１の左連結棒の他端は前記第２の左連結棒の一端にヒンジ連結されており、
前記第２の左連結棒の中間部は前記第３の左連結棒の中間部にヒンジ連結されており、
前記第２の左連結棒の他端は前記第２の左ヒンジ連結ベースにヒンジ連結されており、
前記第２の左ヒンジ連結ベースは前記第２の左横棒の端部にヒンジ連結されており、
前記第３の左連結棒の一端は前記第４の左連結棒の一端にヒンジ連結されており、
前記第３の左連結棒の他端と前記第４の左連結棒の他端は、それぞれ前記第３の左ヒンジ連結ベースと前記第４の左ヒンジ連結ベースにヒンジ連結されており、
前記第３の左ヒンジ連結ベースと前記第４の左ヒンジ連結ベースとは、それぞれ前記第２の左伸縮脚と前記第１の左伸縮脚にヒンジ連結されており、
前記右連結フレームは、第１の右連結棒と、第２の右連結棒と、第３の右連結棒と、第４の右連結棒と、第１の右ヒンジ連結ベースと、第２の右ヒンジ連結ベースと、第３の右ヒンジ連結ベースと、第４の右ヒンジ連結ベースとを備えており、
前記第１の右連結棒の一端は前記第１の右ヒンジ連結ベースにヒンジ連結され、
前記第１の右ヒンジ連結ベースは前記第１の右横棒の端部にヒンジ連結され、
前記第１の右連結棒の中間部は前記第４の右連結棒の中間部にヒンジ連結され、
前記第１の右連結棒の他端は前記第２の右連結棒の一端にヒンジ連結され、
前記第２の右連結棒の中間部は前記第３の右連結棒の中間部にヒンジ連結され、
前記第２の右連結棒の他端は前記第２の右ヒンジ連結ベースにヒンジ連結され、
前記第２の右ヒンジ連結ベースは前記第２の右横棒の端部にヒンジ連結され、
前記第３の右連結棒の一端は前記第４の右連結棒の一端にヒンジ連結され、
前記第３の右連結棒の他端と前記第４の右連結棒の他端は、それぞれ前記第３の右ヒンジ連結ベースと前記第４の右ヒンジ連結ベース上にヒンジ連結されており、
前記第３の右ヒンジ連結ベースと前記第４の右ヒンジ連結ベースは、それぞれ前記第１の右伸縮脚と前記第２の右伸縮脚にヒンジ連結されていることを特徴とするポータブル折り畳みテーブル。
【請求項１０】
請求項８に記載のポータブル折り畳みテーブルにおいて、
前記第１の右横棒の両端が管孔を介して連通し、前記第２の右横棒の両端が管孔を介して連通し、
前記管孔の一端に圧縮ばねベースが挿入されており、
前記圧縮ばね収容箱は前記圧縮ばねベース上に開設されており、
前記第１の右横棒と前記第２の右横棒のいずれにも、前記留め具を突出させるための突出孔が開設されており、
前記突出孔は前記圧縮ばね収容箱の位置に合わせられていることを特徴とするポータブル折り畳みテーブル。
【請求項１１】
請求項１０に記載のポータブル折り畳みテーブルにおいて、
前記圧縮ばねベースの両側には、２つの弾性片が設けられており、
前記第１の右横棒と前記第２の右横棒のいずれにも、前記弾性片と組み合わせるための２つの弾性片係入孔が開設されていることを特徴とするポータブル折り畳みテーブル。
【発明の詳細な説明】
【技術分野】
【０００１】
本発明は、テーブル板及びポータブル折り畳みテーブルに関する。
【背景技術】
【０００２】
折り畳みテーブルは、折り畳み機能を有するテーブルであり、折り畳みやすく、運搬に便利であるという特徴のため、パーティー、会議、展示会等、臨時のもてなしの場でよく見られ、ホテルや展示会等の場に欠かせない家具になっている。
【０００３】
実際に使用する大きさに関するニーズや占有空間の制約を考慮して、従来の技術において、テーブル板の面積を調節可能にすることを実現可能な折り畳みテーブルがいくつか登場している。
【０００４】
出願番号が２０１０２０６４１６２４．９であり、考案の名称が「伸縮折り畳みテーブル」である中国実用新案登録は、伸ばして使用可能な伸縮折り畳みテーブルを開示している。従来技術における、折り畳みテーブルが伸縮不能であり、長さが固定されており伸ばすことができない欠点を解決しており、支持フレームと、支持フレームの上方を連結するテーブル板とを備え、支持フレームは、対称かつ平行に設けられた２本の支持脚と、支持脚の上端にヒンジ連結された支持棒とを備え、支持棒は固定支持棒及び伸縮支持棒を備え、テーブル板は常用テーブル板及び取り外しテーブル板を備え、常用テーブル板は固定支持棒上に連結され、取り外しテーブル板は伸縮支持棒に連結される。支持棒は、固定支持棒と伸縮支持棒の組み合わせ方式を採用しており、支持棒を延長することができ、延長部分は取り外しテーブル板に嵌め合わされ、このようにして延長部分が取り外しテーブル板に覆われ、テーブル面が広くなる。該構造を採用した伸縮折り畳みテーブルには、常用テーブル板及び取り外しテーブル板という２つの部分を組み合わせるか、または、常用テーブル板を単独で使用することにより、テーブル板の面積の調整を実現するため、伸縮折り畳みテーブルのテーブル面の面積を調節可能な範囲が小さく、ニーズに応じてテーブル面の面積をより正確に調整することができない上、常用テーブル板及び取り外しテーブル板は互いに独立した２つのアセンブリであり、伸縮折り畳みテーブルのアセンブリが多くなり、一体性が低いという欠陥がある。
【先行技術文献】
【特許文献】
【０００５】
【特許文献１】中国実用新案登録出願２０１０２０６４１６２４．９号公報
【発明の概要】
【発明が解決しようとする課題】
【０００６】
本発明の目的は、従来技術に存在する上記の欠点を克服して、構造の設計が合理的でテーブル板面積の調整範囲が大きく、テーブル板の一体性が高いテーブル板及びポータブル折り畳みテーブルを提供することにある。
【課題を解決するための手段】
【０００７】
本発明が上記の問題を解決するにあたって採用する技術案は次の通りである。
【０００８】
テーブル板と、テーブル板を設けるための支持脚フレームとを備えたポータブル折り畳みテーブルであって、テーブル板は数枚のパネルと、隣接するパネルを連結するための連結片とを備えており、前記パネルの前後両端にいずれもスライド溝が設けられており、テーブル板のパネルは左から右へ１つずつ設けられており、連結片の両端が、隣接する２つのパネルをそれぞれ連結しており、連結片の一端が、パネルのうちの一つのスライド溝内に取り付けられることにより、該連結片が１つのパネルのスライド溝に対して摺動するとともに連結片の一端周りに回動できるようにし、連結片の他端が、他の１つのパネルの端部にヒンジ連結されることにより、連結片が連結片の他端周りに回動できるようにするか、または、連結片の他端が、他の１つのパネルの端部のスライド溝内に取り付けられることにより、該連結片が、他の１つのパネルのスライド溝に対して摺動するとともに連結片の他端周りに回動できるようになっており、パネル間の距離が小さいときには、これに応じてテーブル板の長さが短いため、テーブル板の面積が小さく、テーブル板両側のパネルを引き動かした後、連結片がスライド溝に対して摺動し、パネル間の距離が増大し、これに応じてテーブル板の面積が増大し、隣接するパネル間の隙間を覆うためのカバー板がパネル上に固定されていることを特徴とするポータブル折り畳みテーブルである。これによってパネル間の距離が増大するとき、カバー板も、隣接するパネル本体の間の隙間を終始覆うことができるため、テーブル面の面積が変化する過程において、テーブル面全体に常に隙間が存在しない。
【０００９】
好ましくは、支持脚フレームは、第１の左伸縮脚と、第１の右伸縮脚と、第２の左伸縮脚と、第２の右伸縮脚と、第１の伸縮横棒と、第２の伸縮横棒とを備えており、第１の伸縮横棒は第１の左横棒と第１の右横棒とを備えており、第２の伸縮横棒は第２の左横棒と第２の右横棒とを備えており、第１の左伸縮脚と、第１の右伸縮脚と、第２の左伸縮脚と、第２の右伸縮脚とは、それぞれ第１の左横棒、第１の右横棒、第２の左横棒、及び第２の右横棒上に取り付けられており、第１の左横棒が第１の右横棒上に摺動装着されることにより、第１の伸縮横棒の長さを調整し、第２の左横棒が第２の右横棒上に摺動装着されることにより、第２の伸縮横棒の長さを調整しており、パネルの両端が、それぞれ第１の伸縮横棒及び第２の伸縮横棒上に設けられている。上記構造により、第１の伸縮横棒と第２の伸縮横棒の長さを調整でき、これにより支持脚フレームがテーブル板の面積変化に適応できるようになっており、より良い支持を提供すると共に、合理的な占有面積を保証することができる。
【００１０】
好ましくは、連結片の一端に、連結片から突き出た摺動ヘッドが設けられており、前記摺動ヘッドはスライド溝内に摺設されており、パネルとカバー板は一体式連結構造を採用しており、パネルの前後両端は連通孔を介して連通しており、連通孔の両端にスライド溝ベースが係着しており、スライド溝がスライド溝ベース上に開設されている。パネルとカバー板で構成される一体式構造と、連通孔の設置とが、押出成形の特徴に合致し、押出成形を採用するのに適しており、アルミニウム材を採用した押出成形に特に適しており、成形しやすく、構造が堅固であり、かつ、連通孔を設けることにより製品の重量が大幅に低減されるだけでなく、製品をより手軽にしており、スライド溝ベースは連通孔を利用して速やかに取り付けることができ、組立て効率を極めて大きく高めている。
【００１１】
好ましくは、パネルの上端は段差構造を有しており、該段差構造は、互いに平行であって、一方が高く一方が低い第１の平面及び第２の平面と、第１の平面と第２の平面とを連結する連結面とから構成され、第１の平面はカバー板の上面と同一の平面上にあり、第１の平面と第２の平面の間の高度差がカバー板の厚さと等しい。これによって、いずれか１つのパネル上のカバー板の下面が第２の平面に押し当てられたとき、該パネル上のカバー板の上面が、隣接するカバー板の第１の平面と面一であることにより、テーブル面全体の上面が比較的平らになる。
【００１２】
好ましくは、テーブル板両端のパネルは、スナップボタンにより第１の伸縮横棒の両端及び第２の伸縮横棒の両端に連結される。上記構造により、第１の伸縮横棒及び第２の伸縮横棒を直接引いて、第１の伸縮横棒及び第２の伸縮横棒を長くすることにより、テーブル板の両端を引き動かし、これに応じてテーブル板の面積を大きくするとともに、第１の伸縮横棒及び第２の伸縮横棒を逆方向に操作して、第１の伸縮横棒及び第２の伸縮横棒を短くすることにより、テーブル板の両端を押し動かし、これに応じてテーブル板の面積を小さくし、これにより支持脚フレームとテーブル板との間の連動を実現することができ、支持脚フレームとテーブル板とをそれぞれ操作して調整する必要がなく、これにより操作ステップを減らして、操作効率を高めることができる。テーブル板においてスナップボタンにより支持脚フレームを連結し、テーブル板と支持脚フレームとの間の結合及び分離の操作が、いずれも非常に簡単で便利である。
【００１３】
好ましくは、第１の左横棒及び第２の左横棒上にいずれも凹溝が設けられており、第１の右横棒と第２の右横棒は、それぞれ第１の左横棒上の凹溝内と第２の左横棒上の凹溝内に摺動可能に連結されており、第１の右横棒と第１の右横棒とに圧縮ばね収容箱が設けられており、圧縮ばね収容箱内に、留め具と、留め具を凹溝の内壁に押し付ける圧縮ばねとが設けられており、圧縮ばねの両端が圧縮ばね収容箱の底部及び留め具に押し当てられており、第１の左横棒上の凹溝の内壁と第２の左横棒上の凹溝の内壁とに、留め具を係入するための留め具孔が開設されており、留め具上に、留め具孔に嵌め合わせるための斜面が設けられており、これにより、第１の伸縮横棒及び第２の伸縮横棒が伸びる過程で、当初凹溝の内壁に押し当てられていた留め具が留め具孔部材に近づき続け、留め具孔に位置合わせされた後、留め具孔が圧縮ばねの作用で留め具孔に押し込められ、このとき、第１の伸縮横棒及び第２の伸縮横棒が伸び続けられない。第１の伸縮横棒及び第２の伸縮横棒を操作して短くし、斜面が設けられているので、留め具孔の縁が斜面に押し付けられ、留め具が留め具孔の縁により下向きに押されることにより、第１の伸縮横棒及び第２の伸縮横棒が短縮を実現できる。前記斜面は、円弧面を採用して代替してもよい。
【００１４】
好ましくは、第１の左伸縮脚と、第１の右伸縮脚と、第２の左伸縮脚と、第２の右伸縮脚とが、それぞれ第１の左横棒、第１の右横棒、第２の左横棒、及び第２の右横棒上に回動装着されており、支持脚フレームは左連結フレーム及び右連結フレームをさらに備えており、左連結フレームは、第１の左連結棒と、第２の左連結棒と、第３の左連結棒と、第４の左連結棒と、第１の左ヒンジ連結ベースと、第２の左ヒンジ連結ベースと、第３の左ヒンジ連結ベースと、第４の左ヒンジ連結ベースとを備えており、第１の左連結棒の一端は第１の左ヒンジ連結ベースにヒンジ連結されており、第１の左ヒンジ連結ベースは第１の左横棒の端部にヒンジ連結されており、第１の左連結棒の中間部は第４の左連結棒の中間部にヒンジ連結されており、第１の左連結棒の他端は第２の左連結棒の一端にヒンジ連結されており、第２の左連結棒の中間部は第３の左連結棒の中間部にヒンジ連結されており、第２の左連結棒の他端は第２の左ヒンジ連結ベースにヒンジ連結されており、第２の左ヒンジ連結ベースは第２の左横棒の端部にヒンジ連結されており、第３の左連結棒の一端は第４の左連結棒の一端にヒンジ連結されており、第３の左連結棒の他端と第４の左連結棒の他端がそれぞれ第３の左ヒンジ連結ベースと第４の左ヒンジ連結ベース上にヒンジ連結されており、第３の左ヒンジ連結ベースと第４の左ヒンジ連結ベースがそれぞれ第２の左伸縮脚と第１の左伸縮脚上にヒンジ連結されており、右連結フレームは、第１の右連結棒と、第２の右連結棒と、第３の右連結棒と、第４の右連結棒と、第１の右ヒンジ連結ベースと、第２の右ヒンジ連結ベースと、第３の右ヒンジ連結ベースと、第４の右ヒンジ連結ベースとを備えており、第１の右連結棒の一端は第１の右ヒンジ連結ベースにヒンジ連結されており、第１の右ヒンジ連結ベースは第１の右横棒の端部にヒンジ連結されており、第１の右連結棒の中間部は第４の右連結棒の中間部にヒンジ連結されており、第１の右連結棒の他端は第２の右連結棒の一端にヒンジ連結されており、第２の右連結棒の中間部は第３の右連結棒の中間部にヒンジ連結されており、第２の右連結棒の他端は第２の右ヒンジ連結ベースにヒンジ連結されており、第２の右ヒンジ連結ベースは第２の右横棒の端部にヒンジ連結されており、第３の右連結棒の一端は第４の右連結棒の一端にヒンジ連結されており、第３の右連結棒の他端と第４の右連結棒の他端がそれぞれ第３の右ヒンジ連結ベースと第４の右ヒンジ連結ベース上にヒンジ連結されており、第３の右ヒンジ連結ベースと第４の右ヒンジ連結ベースとがそれぞれ第１の右伸縮脚と第２の右伸縮脚上にヒンジ連結されている。上記構造を採用すれば、第１の左伸縮脚と、第１の右伸縮脚と、第２の左伸縮脚と、第２の右伸縮脚とを回動させることにより、第１の左伸縮脚と、第１の右伸縮脚と、第２の左伸縮脚と、第２の右伸縮脚とを、それぞれ第１の左横棒、第１の右横棒、第２の左横棒、及び第２の右横棒上で折り畳むことができ、第１の左連結棒と、第２の左連結棒と、第３の左連結棒と、第４の左連結棒とが平行四辺形機構を構成し、第１の右連結棒と、第２の右連結棒と、第３の右連結棒と、第４の右連結棒とが平行四辺形機構を構成し、これにより第１の左連結棒、第２の左連結棒、第３の左連結棒、及び第４の左連結棒で構成される平行四辺形機構を折り畳むことによって、第１の左横棒と第２の左横棒を動かして結合させ、第１の右連結棒と、第２の右連結棒と、第３の右連結棒と、第４の右連結棒とで構成される平行四辺形機構を折り畳むことによって、第１の右横棒と第２の右横棒を動かして結合させ、これにより支持脚フレームの折り畳みを実現する。
【００１５】
好ましくは、第１の右横棒の両端と第２の右横棒の両端とがいずれも管孔を介して連通しており、管孔の一端に圧縮ばねベースが挿入されており、前記圧縮ばね収容箱は前記圧縮ばねベース上に開設されており、第１の右横棒及び第２の右横棒上にいずれにも、留め具を突出させるための突出孔が開設されており、前記突出孔は圧縮ばね収容箱の位置に合わせられている。よって取り付け時に、圧縮ばね収容箱内に圧縮ばね及び留め具を装入した後、圧縮ばねベースが管孔内に挿入され、圧縮ばねベースの固定を実現し、このとき、留め具が圧縮ばねの作用で突出孔から管孔の外まで突出して凹溝の内壁に押し当てられることにより、圧縮ばねと、留め具と、圧縮ばねベースとの取り付けを実現する。
【００１６】
好ましくは、圧縮ばねベースの両側に、２つの弾性片が設けられており、第１の右横棒及び第２の右横棒上のいずれにも、弾性片と組み合わせるための２つの弾性片係入孔が開設されている。この構造を採用すれば、圧縮ばねベースを非常に速やかかつ手軽に第１の左横棒の管孔に押し込んで管孔に固定することができる。
【発明の効果】
【００１７】
本発明は従来技術と比べ、以下の長所及び効果を有する。パネル間の距離を調整して増減させることにより、これに応じてテーブル板全体の面積の調整が実現し、テーブル板の面積は、連続的な調整範囲を実現することができ、調整範囲が大きく、かつ、パネル同士が連結片により連結され、テーブル板の一体性が高いだけでなく、テーブル板の折り畳みも実現することができ、手軽に収納することができ、カバー板の設置により、テーブル板全体の面積の調整過程において、テーブル面全体に常に隙間が存在しない。
【図面の簡単な説明】
【００１８】
【図１】本発明の実施例１のテーブル板を広げた後の構造概略図である。
【図２】本発明の実施例１のテーブル板を縮めた後の構造概略図である。
【図３】本発明の実施例１の分解構造概略図である。
【図４】本発明の実施例１の圧縮ばねベースを取り付ける分解構造概略図である。
【図５】本発明の実施例１のパネルを取り付ける分解構造概略図である。
【図６】本発明の実施例１のテーブル板の展開過程の概略図である。
【図７】本発明の実施例１のテーブル板の折り畳み過程の概略図である。
【図８】本発明の実施例１の支持脚フレームの折り畳み構造概略図である。
【図９】本発明の実施例１の折り畳み状態の構造概略図である。
【図１０】本発明の実施例２のパネル取り付けの分解構造概略図である。
【発明を実施するための形態】
【００１９】
次に、図面を参照するとともに実施例を通じて本発明についてさらに詳しく説明する。以下の実施例は本発明についての解釈であり、本発明は以下の実施例に限定されない。
【実施例１】
【００２０】
図１〜図９のように、本実施例のポータブル折り畳みテーブルは、テーブル板１と、テーブル板１を設けるための支持脚フレーム２とを備え、前記テーブル板１は、１７枚のパネル１１と、隣接するパネル１１を連結するための連結片１２とを備え、パネル１１の前後両端は連通孔を介して連通され、連通孔の両端にスライド溝ベース１１２が係着しており、スライド溝ベース１１２上に１つのスライド溝１１１が開設されている。テーブル板１のパネル１１は左から右へ１つずつ設けられ、連結片１２の両端が、隣接する２つのパネル１１をそれぞれ連結し、連結片１２の一端に、連結片１２から突き出た摺動ヘッド１２１が設けられており、前記摺動ヘッド１２１が、パネル１１のうちの一つ上のスライド溝ベース１１２のスライド溝１１１内に係合され、連結片１２の他端が、他の１つのパネル１１のスライド溝ベース１１２上にヒンジ連結されており、したがってパネル１１の１つずつの連結を実現し、パネル１１上に、隣接するパネル１１の間の隙間を覆うためのカバー板１３が固定されている。パネル１１とカバー板１３は一体式連結構造を採用しており、パネル１１の上端は段差構造を呈し、該段差構造は、互いに平行であって、一方が高く一方が低い第１の平面１１３及び第２の平面１１４と、第１の平面１１３と第２の平面１１４を連結する連結面１１５とから構成されており、第１の平面１１３はカバー板１３の上面と同一の平面上にあり、第１の平面１１３と第２の平面１１４の間の高度差がカバー板１３の厚さと等しい。
【００２１】
テーブル板１は、第１方向に伸縮可能な構造である。パネル１１は、第１方向の一方から他方へ一つずつ並べられている。各パネル１１の第２方向の両端には、上記の通り、スライド溝１１１が各々設けられている。第２方向は、第１方向に交差している（本実施例では、直角に交差している）。各スライド溝１１１は、第１方向の一方の第１端と、第１方向の他方の第２端とを有している。
複数の連結片１２のうちの二つの連結片１２が隣接する２つのパネル１１を連結している。具体的には、二つの連結片１２の一方の連結片１２が、隣接する２つのパネル１１の第２方向の両端のうちの一端を連結し、他方の連結片１２が当該隣接する２つのパネル１１の第２方向の両端のうちの他端を連結している。
テーブル板１が伸びている状態で、各連結片１２の摺動ヘッド１２１が、各パネル１１のスライド溝１１１の第２端に位置し、且つ隣り合うパネル１１が第１方向において上記隙間をあけて配置されている。
テーブル板１が伸びた状態から縮むとき、各連結片１２の摺動ヘッド１２１が、各パネル１１のスライド溝１１１の第２端から第１端へ移動し、且つ隣り合うパネル１１が第１方向において互いに接近する。
テーブル板１が縮んでいる状態で、各連結片１２の摺動ヘッド１２１が、各パネル１１のスライド溝１１１の第１端に位置し、且つ隣り合うパネル１１が第１方向において当接又は近接配置されている。
各パネル１１において、第１の平面１１３は、第２の平面１１４よりも第１方向の他方に位置している。各パネル１１において、第２の平面１１４は、第１の平面１１３よりもカバー板１３の厚さ分低い。
各カバー板１３は各パネル１１から第１方向の他方に延びている。各カバー板１３の上面は、各パネル１１の第１の平面１１３と同一の平面に位置し且つ連続している。
テーブル板１が伸びている状態で、各カバー板１３は、隣り合うパネル１１の間の隙間を覆っている。このとき、各カバー板１３の第１方向の他方の自由端の下面は、当該カバー板１３の第１方向の他方側のパネル１１の第２の平面１１４上に位置していても良い。
テーブル板１が縮んでいるとき、各カバー板１３の下面略全体が、当該カバー板１３の第１方向の他方側のパネル１１の第２の平面１１４上に位置している。このとき、各カバー板１３の自由端は、当該カバー板１３の第１方向の他方側のパネル１１の連結面１１５に当接しても良い。
【００２２】
支持脚フレーム２は、第１の左伸縮脚２１と、第１の右伸縮脚２２と、第２の左伸縮脚２３と、第２の右伸縮脚２４と、第１の伸縮横棒と、第２の伸縮横棒と、左連結フレームと、右連結フレームとを備えており、第１の伸縮横棒は第１の左横棒２５１と第１の右横棒２５２とを備えており、第２の伸縮横棒は第２の左横棒２６１と第２の右横棒２６２を備えており、第１の左伸縮脚２１と、第１の右伸縮脚２２と、第２の左伸縮脚２３と、第２の右伸縮脚２４とは、第１の左横棒２５１、第１の右横棒２５２、第２の左横棒２６１、及び第２の右横棒２６２上に各々取り付けられ、第１の左横棒２５１は第１の右横棒２５２上に摺動装着されており、第２の左横棒２６１は第２の右横棒２６２上に摺動装着されており、パネル１１の前後両端はそれぞれ第１の伸縮横棒及び第２の伸縮横棒上に設けられている。テーブル板１の左右両端のパネル１１は、留め具１４（例えば、スナップボタン）により第１の伸縮横棒の両端及び第２の伸縮横棒の両端に連結される。第１の左横棒２５１及び第２の左横棒２６１上にいずれも凹溝２５６が設けられており、第１の右横棒２５２と第２の右横棒２６２はそれぞれ第１の左横棒２５１上の凹溝２５６内と第２の左横棒２６１上の凹溝２５６内に摺動可能に連結され、第１の右横棒２５２と第１の右横棒２５２上に圧縮ばね収容箱２９２が設けられており、圧縮ばね収容箱２９２内に、留め具２９３と、留め具２９３を凹溝２５６の内壁に押し付ける圧縮ばね２９４とが設けられており、圧縮ばね２９４の両端が圧縮ばね収容箱２９２の底部及び留め具２９３に押し当てられ、第１の左横棒２５１上の凹溝２５６の内壁と第２の左横棒２６１上の凹溝２５６の内壁とに、留め具２９３を係入するための留め具孔２９５が開設されており、留め具２９３上には、留め具孔２９５に嵌め合わせるための斜面２９３１が設けられている。第１の右横棒２５２の両端と第２の右横棒２６２の両端がいずれも管孔を介して連通し、管孔の一端に圧縮ばねベース２９１が挿入されており、前記圧縮ばね収容箱２９２は前記圧縮ばねベース２９１上に開設され、第１の右横棒２５２及び第２の右横棒２６２上にいずれも、留め具２９３を突出させるための突出孔２９６が開設されており、前記突出孔２９６は圧縮ばね収容箱２９２の位置に合わせられている。圧縮ばねベース２９１の両側に２つの弾性片２９７が設けられており、第１の右横棒２５２及び第２の右横棒２６２上にいずれも、弾性片２９７に組み合わせるための２つの弾性片係入孔２９８が開設されている。第１の左伸縮脚２１、第１の右伸縮脚２２、第２の左伸縮脚２３、第２の右伸縮脚２４がそれぞれ第１の左横棒２５１、第１の右横棒２５２、第２の左横棒２６１、及び第２の右横棒２６２上に回動装着され、左連結フレームは、第１の左連結棒２７１と、第２の左連結棒２７２と、第３の左連結棒２７３と、第４の左連結棒２７４と、第１の左ヒンジ連結ベース２７５と、第２の左ヒンジ連結ベース２７６と、第３の左ヒンジ連結ベース２７７と、第４の左ヒンジ連結ベース２７８とを備えており、第１の左連結棒２７１の一端は第１の左ヒンジ連結ベース２７５にヒンジ連結されており、第１の左ヒンジ連結ベース２７５は第１の左横棒２５１の端部にヒンジ連結されており、第１の左連結棒２７１の中間部は第４の左連結棒２７４の中間部にヒンジ連結されており、第１の左連結棒２７１の他端は第２の左連結棒２７２の一端にヒンジ連結されており、第２の左連結棒２７２の中間部は第３の左連結棒２７３の中間部にヒンジ連結されており、第２の左連結棒２７２の他端は第２の左ヒンジ連結ベース２７６にヒンジ連結されており、第２の左ヒンジ連結ベース２７６は第２の左横棒２６１の端部にヒンジ連結されており、第３の左連結棒２７３の一端は第４の左連結棒２７４の一端にヒンジ連結されており、第３の左連結棒２７３の他端と第４の左連結棒２７４の他端がそれぞれ第３の左ヒンジ連結ベース２７７と第４の左ヒンジ連結ベース２７８上にヒンジ連結されており、第３の左ヒンジ連結ベース２７７と第４の左ヒンジ連結ベース２７８がそれぞれ第２の左伸縮脚２３と第１の左伸縮脚２１上にヒンジ連結されており、右連結フレームは、第１の右連結棒２８１と、第２の右連結棒２８２と、第３の右連結棒２８３と、第４の右連結棒２８４と、第１の右ヒンジ連結ベース２８５と、第２の右ヒンジ連結ベース２８６と、第３の右ヒンジ連結ベース２８７と、第４の右ヒンジ連結ベース２８８とを備えており、第１の右連結棒２８１の一端は第１の右ヒンジ連結ベース２８５にヒンジ連結されており、第１の右ヒンジ連結ベース２８５は第１の右横棒２５２の端部にヒンジ連結されており、第１の右連結棒２８１の中間部は第４の右連結棒２８４の中間部にヒンジ連結されており、第１の右連結棒２８１の他端は第２の右連結棒２８２の一端にヒンジ連結されており、第２の右連結棒２８２の中間部は第３の右連結棒２８３の中間部にヒンジ連結されており、第２の右連結棒２８２の他端は第２の右ヒンジ連結ベース２８６にヒンジ連結されており、第２の右ヒンジ連結ベース２８６は第２の右横棒２６２の端部にヒンジ連結されており、第３の右連結棒２８３の一端は第４の右連結棒２８４の一端にヒンジ連結されており、第３の右連結棒２８３の他端と第４の右連結棒２８４の他端がそれぞれ第３の右ヒンジ連結ベース２８７と第４の右ヒンジ連結ベース２８８上にヒンジ連結されており、第３の右ヒンジ連結ベース２８７と第４の右ヒンジ連結ベース２８８がそれぞれ第１の右伸縮脚２２と第２の右伸縮脚２４上にヒンジ連結されている。
【実施例２】
【００２３】
図１０に示すように、本実施例のポータブル折り畳みテーブルは、テーブル板と、テーブル板を設けるための支持脚フレームとを備え、本実施例の支持脚フレームの構造は実施例１における支持脚フレームと同じであり、本実施例のテーブル板の構造は実施例１におけるテーブル板の構造とほぼ同じであり、前記テーブル板は、１７枚のパネル１１と、隣接するパネル１１を連結するための連結片１２とを備え、パネル１１の前後両端は連通孔を介して連通されており、連通孔の両端にスライド溝ベース１１２が係着しており、テーブル板１のパネル１１は左から右へ１つずつ設けられており、連結片１２の両端が、隣接する２つのパネル１１をそれぞれ連結しており、パネル１１上に、隣接するパネル１１の間の隙間を覆うためのカバー板１３が固定されている。パネル１１とカバー板１３は一体式連結構造を採用しており、本実施例のテーブル板の構造と実施例１におけるテーブル板の構造との違いは、スライド溝ベース１１２上に２つのスライド溝１１１が開設されているという点である。連結片１２の両端のいずれにも、連結片１２から突き出た摺動ヘッド１２１が設けられており、連結片１２の一端の摺動ヘッド１２１が、パネル１１のうちの一つ上のスライド溝ベース１１２のスライド溝１１１内に取り付けられ、連結片１２の他端の摺動ヘッド１２１が、他の一つのパネル１１上のスライド溝ベース１１２のスライド溝１１１内に取り付けられている。
【００２４】
各パネル１１の第２方向の両端には、上記の通り、二つのスライド溝１１１が各々設けられている。二つのスライド溝１１１は、第１方向の一方のスライド溝１１１及び第１方向の他方のスライド溝１１１を含んでいる。各スライド溝１１１は、第１方向の一方の第１端と、第１方向の他方の第２端とを有している。各連結片１２の両端の摺動ヘッド１２１は、第１方向の一方の摺動ヘッド１２１と第１方向の他方の摺動ヘッド１２１とを含んでいる。
テーブル板１が伸びている状態で、各連結片１２の一方の摺動ヘッド１２１が、各パネル１１の他方のスライド溝１１１の第２端に位置し、当該連結片１２の他方の摺動ヘッド１２１が、各パネル１１の一方のスライド溝１１１の第１端に位置し、且つ隣り合うパネル１１が第１方向において上記隙間をあけて配置されている。
テーブル板１が伸びた状態から縮むとき、各連結片１２の一方の摺動ヘッド１２１が、各パネル１１の他方のスライド溝１１１の第２端から第１端へ移動し、当該連結片１２の他方の摺動ヘッド１２１が、各パネル１１の一方のスライド溝１１１の第１端から第２端へ移動し、且つ隣り合うパネル１１が第１方向において互いに接近する。
テーブル板１が縮んでいる状態で、各連結片１２の一方の摺動ヘッド１２１が、各パネル１１の他方のスライド溝１１１の第１端に位置し、当該連結片１２の他方の摺動ヘッド１２１が、各パネル１１の一方のスライド溝１１１の第２端に位置し、且つ隣り合うパネル１１が第１方向において当接又は近接配置されている。
【００２５】
本明細書において記述された以上の内容は、本発明について行われた例示説明であるに過ぎない。当業者は、記述された具体的な実施例にさまざまな修正または補足を加えるか、または、類似した方式を用いて置換することができ、本発明の明細書の内容から逸脱するかもしくは本実用新案登録請求の範囲により定義された範囲を超えない限り、いずれも本発明の保護範囲に属していなければならない。
【符号の説明】
【００２６】
１：：テーブル板
１１：パネル
１１１：スライド溝
１１２：スライド溝ベース
１１３：第１の平面
１１４：第２の平面
１１５：連結面
１２：連結片
１２１：摺動ヘッド
１３：カバー板
１４：スナップボタン 
２：支持脚フレーム
２１：第１の左伸縮脚
２２：第１の右伸縮脚
２３：第２の左伸縮脚
２４：第２の右伸縮脚
２５１：第１の左横棒
２５２：第１の右横棒
２６１：第２の左横棒
２６２：第２の右横棒
【図１】
2016129665.tif 000003
【図２】
2016129665.tif 000004
【図３】
2016129665.tif 000005
【図４】
2016129665.tif 000006
【図５】
2016129665.tif 000007
【図６】
2016129665.tif 000008
【図７】
2016129665.tif 000009
【図８】
2016129665.tif 000010
【図９】
2016129665.tif 000011
【図１０】
2016129665.tif 000012